(57)【要約】【課題】  本発明は、合成樹脂を主材料とする積層構造体を利用した、第三者には分り難い、あるいは模倣し難い方法の隠し文字や図柄による、模倣品に係る判別機能を創出することを課題とするものである。【解決手段】  積層構造体において、２つの合成樹脂製の基材層を貼り合わせ状に積層し、両基材層の間にこれら両基材層よりもＸ線透過率を小さくした材料から成る標識層を積層し、少なくとも一方の基材層を不透明とし、標識層は部分的に凹凸状に屈曲させた凹凸部を有する構成とする。【選択図】図１
2011110907.tif 000002
【特許請求の範囲】
【請求項１】
２つの合成樹脂製の基材層を貼り合わせ状に積層し、該両基材層の間に前記両基材層よりもＸ線透過率を小さくした材料から成る標識層を積層し、少なくとも一方の基材層を不透明とし、前記標識層は、該標識層を部分的に凹凸状に屈曲させた凹凸部を有する構成とした積層構造体。
【請求項２】
凹凸部により、文字、記号、図柄、模様から選ばれる形状が現出する構成とした請求項１記載の積層構造体。
【請求項３】
標識層を合成樹脂に無機フィラー若しくは無機顔料を分散した材料から成るものとした請求項１または２記載の積層構造体。
【請求項４】
標識層を塗装層とした請求項１または２記載の積層構造体。
【請求項５】
積層構造体をラベルとした請求項１、２、３または４記載の積層構造体。
【請求項６】
積層構造体を、標識層がアルミ箔若しくはアルミシート製で全周面に亘って積層するチューブ体とした請求項１または２記載の積層構造体。
【発明の詳細な説明】
【技術分野】
【０００１】
本発明は積層構造体、特に模倣品に係る判別機能が発揮されるように構成された積層構造体に関する。
【背景技術】
【０００２】
近年においては流通の国際化も相俟って、ブランド品の高度な偽物も出回り、その対策が重要となってきており、たとえばＩＣタグの物品への装着による方法が有力な方法の一つである。
また、医薬品や化粧品の分野でも模倣品が多く出回り、中でも模倣品の薬による健康被害も報告されており、医薬品メーカーは模倣品を防止する対策として包装容器に蛍光印刷などによる隠し文字や図柄などを配設し（特許文献１参照）、商品の真偽を判別できるようにしている。
【先行技術文献】
【特許文献】
【０００３】
【特許文献１】特開２０００−３１８２９０号公報
【発明の概要】
【発明が解決しようとする課題】
【０００４】
本発明は、合成樹脂を主材料とする積層構造体を利用した、第三者には分り難いあるいは模倣し難い方法の隠し文字や図柄による、模倣品に係る判別機能を創出することを課題とするものである。
【課題を解決するための手段】
【０００５】
上記技術的課題を解決する手段に係る本発明の主たる構成は、
積層構造体において、２つの合成樹脂製の基材層を貼り合わせ状に積層し、両基材層の間にこれら両基材層よりもＸ線透過率を小さくした材料から成る標識層を積層し、
少なくとも一方の基材層を不透明とし、
標識層は部分的に凹凸状に屈曲させた凹凸部を有する構成とする、と云うものである。
【０００６】
上記構成において、標識層の凹凸部は、所謂、隠し文字あるいは図柄としての機能を発揮するものであり、少なくとも一方の基材層を不透明とすることにより、標識層を外部から見えないようにすることができる。
また他方で、標識層のＸ線透過率が低いこと、そして凹凸部ではその凹凸構造に沿ってＸ線の標識層中での透過距離が変化し、Ｘ線の透過量が変化することを利用し、Ｘ線透過装置あるいはＣＴ装置等の物体内のＸ線透過率の差異を検出可能な装置（以下、Ｘ線透過装置等と記す。）により必要に応じて、製品を破壊することなく凹凸部により形成される隠し文字あるいは図柄等の有無を確認することができ、
このような積層構造体を包装容器等に配設することにより、模倣品に係る判別機能を商品に付与することができる。
【０００７】
なお、両基材層は目的に応じて同じ合成樹脂製とすることもできるし、異種の合成樹脂製とすることもできる。
また、一方だけの基材層を不透明とするか、両方の基材層を不透明とするかは、積層構造体の使用態様によって選択することができ、積層構造体の両面側が外部に露出するような使用態様では勿論、両方の基材層を不透明にする。
また、両方の基材層を不透明とすることにより、たとえば積層構造体としての包装容器が分解された場合にも標識層の存在が隠されるので、より確実に模倣品の出現を防止することが可能となる。
【０００８】
本発明の他の構成は、上記主たる構成において、標識層を文字、記号、図柄、模様から選ばれる平面形状に積層し標識を形成する、と云うものであり、Ｘ線透過装置等による凹凸部の確認を容易に達成することができる。
【０００９】
本発明のさらに他の構成は、上記主たる構成において、標識層を、合成樹脂に無機フィラー若しくは無機顔料を分散した材料製とする、と云うものである。
【００１０】
標識層の材質は、両基材層よりＸ線透過率が小さいと云う範疇内で特に限定されるものではないが、上記構成により標識層を合成樹脂に無機フィラー若しくは無機顔料を分散した材料とすることにより、両基材層と標識層の接着性や、標識層の積層による積層構造体の柔軟性を大きく損なうことなく、標識層のＸ線透過率を両基材層より小さくすることができる。
特に、両基材層と標識層に使用する合成樹脂を同種のものとすれば、３つの層を熱溶着状に確実に接着した状態で積層することができる。
【００１１】
なお、両基材層を不透明にするために両基材層に自体に少量の無機フィラー若しくは無機顔料を分散する場合があるが、この場合には標識層には、より大きな比率で無機フィラー若しくは無機顔料を分散する。
【００１２】
本発明のさらに他の構成は、上記主たる構成において、標識層を塗装層とすると云うものである。
【００１３】
上記構成は標識層の積層方法に係るものであるが、Ｘ線透過率の小さい無機フィラーや無機顔料を分散させた塗料を使用することにより、塗装層のＸ線透過率を小さくするこができ、塗装により標識層を容易に積層することができる。
そして、一方の基材層の一方の面に層厚を変化させて凹凸を形成しておき、この凹凸に沿って上記のように標識層となる塗装層を形成し、この塗装層を他の基材層で被覆するようにして積層構造体を製造することができる。
【００１４】
本発明のさらに他の構成は、上記主たる構成において、積層構造体をラベルとすると云うものであり、模倣品に係る判別機能を有する積層構造体であるラベルを包装容器等に貼付することにより、模倣品に係る判別機能を容易に商品に付与することができる。
【００１５】
本発明のさらに他の構成は、上記主たる構成において、積層構造体を、標識層がアルミ箔若しくはアルミシート製で全周面に亘って積層するチューブ体とする、と云うものである。
【００１６】
上記構成のチューブ体は、全周に亘ってアルミ箔あるいはアルミシート製の標識層が積層するものであり、このチューブ体をチューブ容器の胴部として使用することにより、ガスバリア性や、香料等の成分の揮散を防止する機能が十分に発揮されるので、内容物の品質の低下を効果的に抑制できると共に、模倣品に係る判別機能を備えたチューブ容器を提供することができる。
なお、上記のようなチューブ体はプレス加工等でアルミ箔あるいはアルミシートに凹凸形状を形成し、その両側に合成樹脂製の基材層をラミネートあるいはオーバーコートしてシート片状の積層構造体を作成し、さらにこのシート片を巻回して両側端部をシールして作成することができる。
【発明の効果】
【００１７】
本発明は、上記した構成となっているので、以下に示す効果を奏する。
すなわち、本発明の主たる構成を有する積層構造体にあっては、標識層の凹凸部は、所謂、隠し文字あるいは図柄としての機能を発揮するものであり、
少なくとも一方の基材層を不透明とすることにより、標識層さらには凹凸部外部から見ることができず、他方、標識層のＸ線透過率が低いこと、そして凹凸部ではその凹凸構造に沿ってＸ線の標識層中での透過距離が変化し、Ｘ線の透過量が変化することを利用し、Ｘ線透過装置あるいはＣＴ装置等の物体内のＸ線透過率の差異を検出可能な装置により必要に応じて、製品を破壊することなく凹凸部により形成される隠し文字あるいは図柄等の有無を確認することができ、このような積層構造体を包装容器等に配設することにより、模倣品に係る判別機能を商品に付与することができる。
【図面の簡単な説明】
【００１８】
【図１】本発明の積層構造体の第１実施例のチューブ体を使用したチューブ容器を示す斜視図である。
【図２】図１のチューブ容器の層構成を示す斜視図である。
【図３】本発明の積層構造体の第２実施例のラベルを示す平面図である。
【図４】図３のラベルの層構成を示す断面図である。
【発明を実施するための形態】
【００１９】
以下、本発明の実施形態を、実施例に沿って図面を参照しながら説明する。
図１、２は本発明の積層構造体の第１実施例であるチューブ体を使用したチューブ容器を説明するためのもので、図１は斜視図であり、図２はその層構成を示す斜視図であり手前にその断面構造が示されている。
このチューブ容器１は、シート片を巻回して両側端部をシールして作成した円筒状のチューブ体２ｔを胴部２として使用し、この胴部２の一端に射出成形あるいは圧縮成形によって取り付けて一体化したヘッド部３から成り、残る一端から内容物を充填しその端部をフラットな底シール部４としたものである。
【００２０】
このチューブ容器１の胴部２を形成するチューブ体２ｔの周壁の層構成は図１あるいは図２示されるように、貼り合わせ状に積層した外側の基材層１１と内側の基材層１２の間に全周面に亘って標識層１３を積層したものである。
なお、図１では、周壁の一部を切出し、さらにその切出した部分で内側の基材層１２の一部を剥離、切除した状態を示している。
【００２１】
本実施例では外側の基材層１１は低密度ポリエチレン樹脂製、内側の基材層１２は高密度ポリエチレン樹脂製とし、外側の基材層１１には樹脂１００重量部に対して３重量部のチタンホワイトの微粉を混合して白色不透明としている。
【００２２】
そして、標識層１３はアルミ製の薄肉シート製で、プレス加工で部分的に凹凸状に屈曲させた凹凸部Ｓを有し、この凹凸部Ｓにより隠し文字となる図案化した文字Ａ、Ｂが形成されている。
【００２３】
そして、本実施例のチューブ体２ｔは、通常の状態では外側の基材層１１が白色不透明であるので、標識層１３さらには凹凸部Ｓを外側から視認することはできないが、標識層１３のＸ線透過率が低いことと図２中の３本の点線矢印Ｘ１、Ｘ２、Ｘ３で示されるように凹凸部Ｓではその凹凸構造に沿って標識層１３中でのＸ線の透過距離が変化しＸ線の透過量が変化することを利用し、Ｘ線透過装置等により必要に応じて、製品を破壊することなく凹凸部Ｓによる隠し文字であるＡ、Ｂの文字の有無を確認することができる。
【００２４】
たとえば、上記図２中の３本の点線矢印Ｘ１、Ｘ２、Ｘ３で比較すると、Ｘ１、Ｘ３の位置に比較し、Ｘ２の位置ではＸ線の標識層１３中の透過距離が大きく、Ｘ線の透過量が小さくなり、その結果Ｘ線透過装置等により文字Ａを検出することが可能となる。
【００２５】
次に、図３、４は本発明の積層構造体の第２実施例であるラベルを説明するためのもので、図３はその平面図、図４は層構成を示す断面図である。
このラベル２０の層構成は図２に示されるように、貼り合わせ状に積層した外側の基材層２１と内側の基材層２２の間に、標識層２３を積層した積層体を有し、さらに内側の基材層２２の下側に接着層２６を積層し、外側の基材層２１の上側には加飾のための、図案化したａ、ｂ、ｃ、ｄ、ｅの文字を形成する加飾印刷層２４が積層され、さらにこの加飾印刷層２４を被覆するように透明な保護層２５が積層されている。
本実施例では外側の基材層２１と内側の基材層２２は共に、不透明となるように着色したポリプロピレン樹脂の延伸フィルム製である。
【００２６】
また、標識層２３はＸ線透過率の小さい無機顔料を分散させた塗料を塗装した塗装層であり、内側の基材層２２の上面を、層厚を変化させて凹凸状に形成しておき、この凹凸に沿って標識層２３となる塗装層を形成し、さらにこの塗装層を外側の基材層２１で被覆するようにして、凹凸部Ｓを有する積層構造体を製造することができ、この凹凸部Ｓにより隠し文字となる図案化した文字Ａ、Ｂが形成されている。
【００２７】
本実施例のラベル２０では、通常の状態では外側と内側の基材層２１、２２が不透明であるので、図３の平面図で見られるようにＡ、Ｂの文字を表す標識層１３を外部から視認することはできないが、前述した第１実施例のチューブ体２ｔと同様に、
標識層２３のＸ線透過率が低いことと、凹凸部Ｓではその凹凸構造に沿って標識層２３中でのＸ線の透過距離が変化しＸ線の透過量が変化することを利用し、Ｘ線透過装置等により必要に応じて、凹凸部Ｓによる隠し文字であるＡ、Ｂの文字の有無を確認することができる。
【００２８】
以上、実施例に沿って本発明の構成とその作用効果を説明したが、本発明の積層構造体は上記実施例に限定されるものではない。
たとえば、本発明の積層構造体は必要に応じて加飾層やガスバリア層等の層を追加することができる。また、積層構造体は上記実施例のチューブ体やラベルに限定されるものではなく、さまざまな態様の成形品とすることができる。
【００２９】
また、上記実施例ではＸ線透過量を小さくするため、標識層をアルミ製の薄肉シート製、あるいは無機顔料を混合した塗料によるものとしたが、他にも合成樹脂に無機フィラーや無機顔料を混合した樹脂材料とする、金属箔層を積層したホットスタンプフィルムを使用する等の手段も採用することができる。
【産業上の利用可能性】
【００３０】
以上説明したように本発明の積層構造体は、Ｘ線の透過率の差を利用した第三者には分り難いあるいは模倣し難い方法の隠し文字や図柄による、模倣品に係る判別機能を有するものであり、模倣品対策として幅広い利用展開が期待される。
【符号の説明】
【００３１】
１  ；チューブ容器
２  ；胴部
２ｔ；チューブ体
３  ；ヘッド部
４  ；底シール部
１１；（外側の）基材層
１２；（内側の）基材層
１３；標識層
２０；ラベル
２１；（外側の）基材層
２２；（内側の）基材層
２３；標識層
２４；加飾印刷層
２５；保護層
２６；接着層
Ｓ  ；凹凸部
【図１】
2011110907.tif 000003
【図２】
2011110907.tif 000004
【図３】
2011110907.tif 000005
【図４】
2011110907.tif 000006